(57)【要約】【課題】光が流れて見える演出を行うことができる照明装置において、少ない光源で多くの流れを見せること。【解決手段】照明装置１は、ベース１０と、前記ベース１０に対して固着された光源２２と、一端側が前記光源２２から発せられた光を入光可能となっており、他端側が前記入光した光を出光可能となっている導光棒４２の前記他端側が適宜の間隔で配置されるように前記ベース１０に対して複数並べられて成る導光体４０と、前記導光体４０のうちの全ての導光棒４２への入光を遮蔽可能に、または前記導光体４０のうちの一部の導光棒４２への入光を許容可能に、前記複数の導光棒４２の一端側の並び方向に沿って移動可能に前記ベース１０に対して組み付けられた遮蔽ノブ５０と、を備えている。【選択図】図７
2016112964.tif 000002
【特許請求の範囲】
【請求項１】
ベースと、
前記ベースに対して固着された光源と、
一端側が前記光源から発せられた光を入光可能となっており、他端側が前記入光した光を出光可能となっている導光棒の前記他端側が適宜の間隔で配置されるように前記ベースに対して複数並べられて成る導光体と、
前記導光体のうちの全ての導光棒への入光を遮蔽可能に、または前記導光体のうちの一部の導光棒への入光を許容可能に、前記複数の導光棒の一端側の並び方向に沿って移動可能に前記ベースに対して組み付けられた遮蔽ノブと、を備えている照明装置。
【請求項２】
請求項１に記載の照明装置であって、
前記遮蔽ノブは、前記導光体のうちの全ての導光棒への入光を許容可能にもなっている照明装置。
【請求項３】
請求項１〜２のいずれかに記載の照明装置であって、
前記遮蔽ノブの移動は、駆動装置によって行われる照明装置。
【発明の詳細な説明】
【技術分野】
【０００１】
本発明は、照明装置に関し、詳しくは、光が流れて見える演出を行うことができる照明装置に関する。
【背景技術】
【０００２】
従来、自動車の車内の意匠性を高めるために、インストルメントパネルにおいて、その助手席側と運転席側とに向かい合うように左右に対を成す加飾パネル（いわゆる、オーナメント）が組み付けられている。ここで、下記特許文献１には、長手方向に沿って複数の光源が並べられており、この複数の光源を順に点滅させていく技術が開示されている。この技術を左右の加飾パネルに適用させると、例えば、エンジンの始動のタイミングで、車内の内側から外側に向けて光が流れて見える演出を行うことができるため、この車内の意匠性をより高めることができる。
【先行技術文献】
【特許文献】
【０００３】
【特許文献１】実用新案登録第３１６２８４５号公報
【発明の概要】
【発明が解決しようとする課題】
【０００４】
しかしながら、上述した特許文献１の技術では、光が流れるような演出を行うために多くの光源が必要となっていた。このように多くの光源を必要とすると、それに伴い、この多くの光源を制御するための制御装置やワイヤーハーネスも多く必要となっていた。したがって、これら電気品の大型化や配置スペースも広く必要となることがあった。
【０００５】
本発明は、このような課題を解決しようとするもので、その目的は、光が流れて見える演出を行うことができる照明装置において、少ない光源で多くの流れを見せることである。
【課題を解決するための手段】
【０００６】
本発明は、上記の目的を達成するためのものであって、以下のように構成されている。
請求項１に記載の発明は、ベースと、前記ベースに対して固着された光源と、一端側が前記光源から発せられた光を入光可能となっており、他端側が前記入光した光を出光可能となっている導光棒の前記他端側が適宜の間隔で配置されるように前記ベースに対して複数並べられて成る導光体と、前記導光体のうちの全ての導光棒への入光を遮蔽可能に、または前記導光体のうちの一部の導光棒への入光を許容可能に、前記複数の導光棒の一端側の並び方向に沿って移動可能に前記ベースに対して組み付けられた遮蔽ノブと、を備えている照明装置である。
【０００７】
請求項１の発明によれば、遮蔽ノブを移動させていくと（例えば、時計回り方向に回転させていくと）、一端側に光を入光させる導光棒を切り替えることができる。そのため、導光棒の他端側を順に点滅させることができる。したがって、少ない光源で多くの流れ（例えば、４箇所の流れ）を見せることができる。
【０００８】
また、請求項２に記載の発明は、請求項１に記載の照明装置であって、前記遮蔽ノブは、前記導光体のうちの全ての導光棒への入光を許容可能にもなっている構成である。
【０００９】
請求項２の発明によれば、全ての導光棒の他端側を光らせることができる。
【００１０】
また、請求項３に記載の発明は、請求項１〜２のいずれかに記載の照明装置であって、前記遮蔽ノブの移動は、駆動装置によって行われる構成である。
【００１１】
請求項３の発明によれば、各種の電気信号に基づいて遮蔽ノブを移動させることができる。したがって、光の演出を行うことができる。
【図面の簡単な説明】
【００１２】
【図１】本発明の実施例に係る照明装置の全体斜視図である。
【図２】図１の分解図である。
【図３】図２の遮蔽ノブの拡大図である。
【図４】図３の遮蔽ノブを反対側から見た斜視図である。
【図５】図１の照明装置の平面図である。
【図６】図１の照明装置の第１の動作を説明する横断面図であり、光が流れ始める前の状態を示している。
【図７】図６の次の状態を説明する図であり、光が流れている状態を示している。
【図８】図７の次の状態を説明する図であり、さらに、光が流れている状態を示している。
【図９】図８の次の状態を説明する図であり、さらに、光が流れている状態を示している。
【図１０】図９の次の状態を説明する図であり、さらに、光が流れている状態を示している。
【図１１】図１０の次の状態を説明する図であり、光が流れ終わった後の状態を示している。
【図１２】図１の照明装置の第２の動作を説明する横断面図であり、光が流れ始める前の状態を示している。
【図１３】図１２の次の状態を説明する図であり、光が流れている状態を示している。
【図１４】図１３の次の状態を説明する図であり、さらに、光が流れている状態を示している。
【図１５】図１４の次の状態を説明する図であり、さらに、光が流れている状態を示している。
【図１６】図１５の次の状態を説明する図であり、さらに、光が流れている状態を示している。
【図１７】図１６の次の状態を説明する図であり、光が流れ終わった後の状態を示している。
【発明を実施するための形態】
【００１３】
以下、本発明を実施するための形態を、図１〜１７を用いて説明する。まず、図１〜５を参照して実施例に係る照明装置１の構成を説明する。照明装置１は、主として、ベース１０と、ＬＥＤ基板２０と、レンズ３０と、導光体４０と、遮蔽ノブ５０と、蓋カバー６０と、発光部カバー７０と、から構成されている（図１〜２参照）。以下に、これら各部材１０、２０、３０、４０、５０、６０、７０を個別に説明していく。
【００１４】
はじめに、ベース１０から説明していく。ベース１０は、矩形状に形成された剛性を有する樹脂製の部材である。このベース１０の基端には、後述する遮蔽ノブ５０の張出部５４を案内するための円形の第１のガイド１２が形成されている。また、このベース１０の第１のガイド１２の内部には、後述するＬＥＤ基板２０を挿し込んで組み付け可能な挿込穴１４が形成されている。
【００１５】
また、このベース１０の第１のガイド１２の内部には、後述するレンズ３０を嵌め込んで組み付け可能な第２のガイド１６、１６が径方向に沿って２本形成されている。また、このベース１０には、その長手方向に沿って後述する導光体４０を嵌め込んで組み付け可能な嵌込溝１８が形成されている。なお、この嵌込溝１８の基端側は、組み付けるレンズ３０に対向するように形成されている。一方、この嵌込溝１８の先端側は、導光体４０の各導光棒４２の先端側が適宜の間隔で配置されるように枝分かれ状を成している。
【００１６】
次に、ＬＥＤ基板２０を説明する。ＬＥＤ基板２０は、光を発し可能な光源２２を１個有する部材から構成されている。このように構成されているＬＥＤ基板２０は、上述したベース１０の挿込穴１４に挿し込まれて組み付けられている。なお、このＬＥＤ基板２０は、ワイヤーハーネスを介して制御装置（いずれも図示しない）に接続されている。この制御装置の内蔵のプログラムにより、ＬＥＤ基板２０の光源２２を所望するタイミングで点灯させたり（光を発しさせたり）、消灯させたり（発した光を消させたり）できる。
【００１７】
次に、レンズ３０を説明する。レンズ３０は、上述したＬＥＤ基板２０の光源２２から発せられた光を後述する導光体４０の各導光棒４２の基端側に向けて広角に広げる部材から構成されている。このように構成されているレンズ３０は、上述したベース１０の第２のガイド１６、１６の間に嵌め込まれて組み付けられている。このレンズ３０により、ＬＥＤ基板２０から発せられた光を後述する導光体４０の各導光棒４２の基端側に入光させることができる。
【００１８】
次に、導光体４０を説明する。導光体４０は、複数（この例では、２０本）の導光棒４２（第１の導光棒４２ａ、第２の導光棒４２ｂ、第３の導光棒４２ｃ、・・・、第２０の導光棒４２ｔ）から構成されている。この導光棒４２は、その基端側がＬＥＤ基板２０の光源２２から発せられた光を入光可能となっており、その先端側が入光した光を出光可能となっている。この基端側と先端側とが、特許請求の範囲に記載の「一端側」と「他端側」とに相当する。
【００１９】
このように構成されている導光体４０は、上述したベース１０の嵌込溝１８に嵌め込まれて組み付けられている。これにより、導光体４０の各導光棒４２の先端側を適宜の間隔で配置させることができる。このとき、この導光体４０の各導光棒４２の基端側は、後述する遮蔽ノブ５０の張出部５４の外周面５４ａに対向する格好を成すように円弧状に配置されている。なお、この導光体４０の各導光棒４２は、ガラスファイバー（光ファイバー）から構成されている。
【００２０】
次に、遮蔽ノブ５０を説明する。遮蔽ノブ５０は、指で操作可能なツマミ５２と、その基端から円柱状に張り出した外周面５４ａを有する張出部５４とから構成されている。この外周面５４ａには、第１の長孔５４ｂと第２の長孔５４ｃとが対向するように形成されている（図３〜４参照）。
【００２１】
第１の長孔５４ｂは、その長手方向の開口長が導光棒４２の５本分の太さ長に対応するように形成されている。一方、第２の長孔５４ｃは、その長手方向の開口長が導光棒４２の２０本分（全ての導光棒４２）の太さ長に対応するように形成されている。この記載が、特許請求の範囲に記載の「前記導光体のうちの全ての導光棒への入光を許容」に相当する。このように構成されている遮蔽ノブ５０は、その張出部５４の外周面５４ａが上述したベース１０の第１のガイド１２に案内されるように組み付けられている。
【００２２】
次に、蓋カバー６０を説明する。蓋カバー６０は、組み付けたＬＥＤ基板２０、レンズ３０、導光体４０、遮蔽ノブ５０を覆うようにベース１０に対してカバーリングする部材から構成されている。この蓋カバー６０の基端側には、遮蔽ノブ５０のツマミ５２を挿し込むことができる貫通孔６２が形成されている。
【００２３】
これにより、ベース１０に組み付けた蓋カバー６０が遮蔽ノブ５０のツマミ５２に干渉することを防止できる。また、この蓋カバー６０の長手方向の縁には、複数（この例では、４個）の係合爪６４が形成されている。このように構成されている蓋カバー６０は、複数（この例では、７個）のビスＢを介してベース１０を覆うように組み付けられている。
【００２４】
最後に、発光部カバー７０を説明する。発光部カバー７０は、導光体４０の各導光棒４２の先端側を覆う透明または半透明な部材から縦断面が略コ字状を成すように構成されている。この発光部カバー７０の長手方向の縁には、上述した蓋カバー６０の複数の係合爪６４に係合可能な複数の係合孔７２が形成されている。このように構成されている発光部カバー７０は、ベース１０の長手方向の縁と蓋カバー６０の長手方向の縁とを挟み込むように複数の係合爪６４と係合孔７２とを係合させて組み付けられている。
【００２５】
これらベース１０と、ＬＥＤ基板２０と、レンズ３０と、導光体４０と、遮蔽ノブ５０と、蓋カバー６０と、発光部カバー７０と、から照明装置１は、構成されている。
【００２６】
続いて、図６〜１１を参照して、照明装置１の作用を説明する。この作用は、第１と第２の２つあるため、まず、第１の作用から説明していく。なお、この第１の動作の説明にあたって、ＬＥＤ基板２０の光源２２から発せられた光が遮蔽ノブ５０の張出部５４の外周面５４ａによって遮蔽された状態から説明する（図６参照）。
【００２７】
この状態では、図６から明らかなように、ＬＥＤ基板２０の光源２２から発せられた光は遮蔽ノブ５０の張出部５４の外周面５４ａによって遮蔽されているため、この光が導光体４０の各導光棒４２の基端側に入光されることがない。なお、この図６において、黒塗り箇所がＬＥＤ基板２０の光源２２から発せられた光を示している。このことは、後述する図７〜１１においても同様である。
【００２８】
この図６に示す状態から、例えば、指で遮蔽ノブ５０のツマミ５２を時計回り方向に回転させていく。すると、遮蔽ノブ５０の張出部５４の第１の長孔５４ｂを介して、ＬＥＤ基板２０の光源２２から発せられた光が導光体４０のうちの５本の導光棒４２（第１の導光棒４２ａ、第２の導光棒４２ｂ、第３の導光棒４２ｃ、第４の導光棒４２ｄ、第５の導光棒４２ｅ）の基端側から入光していく（図７参照）。
【００２９】
これにより、この５本の導光棒４２（第１の導光棒４２ａ、第２の導光棒４２ｂ、第３の導光棒４２ｃ、第４の導光棒４２ｄ、第５の導光棒４２ｅ）の先端側から光が出光していく。すなわち、この５本の導光棒４２（第１の導光棒４２ａ、第２の導光棒４２ｂ、第３の導光棒４２ｃ、第４の導光棒４２ｄ、第５の導光棒４２ｅ）の先端側が光ることとなる。なお、説明の便宜上、導光体４０のうち、この５本の導光棒４２（第１の導光棒４２ａ、第２の導光棒４２ｂ、第３の導光棒４２ｃ、第４の導光棒４２ｄ、第５の導光棒４２ｅ）を第１のエリアＷ１の導光棒４２と記すこととする。
【００３０】
この図７に示す状態から、さらに、指で遮蔽ノブ５０のツマミ５２を時計回り方向に回転させていく。すると、遮蔽ノブ５０の張出部５４の第１の長孔５４ｂを介して、ＬＥＤ基板２０の光源２２から発せられた光が導光体４０のうちの５本の導光棒４２（第６の導光棒４２ｆ、第７の導光棒４２ｇ、第８の導光棒４２ｈ、第９の導光棒４２ｉ、第１０の導光棒４２ｊ）の基端側から入光していく（図８参照）。
【００３１】
これにより、この５本の導光棒４２（第６の導光棒４２ｆ、第７の導光棒４２ｇ、第８の導光棒４２ｈ、第９の導光棒４２ｉ、第１０の導光棒４２ｊ）の先端側から光が出光していく。すなわち、この５本の導光棒４２（第６の導光棒４２ｆ、第７の導光棒４２ｇ、第８の導光棒４２ｈ、第９の導光棒４２ｉ、第１０の導光棒４２ｊ）の先端側が光ることとなる。なお、説明の便宜上、導光体４０のうち、この５本の導光棒４２（第６の導光棒４２ｆ、第７の導光棒４２ｇ、第８の導光棒４２ｈ、第９の導光棒４２ｉ、第１０の導光棒４２ｊ）を第２のエリアＷ２の導光棒４２と記すこととする。
【００３２】
この図８に示す状態から、さらに、指で遮蔽ノブ５０のツマミ５２を時計回り方向に回転させていく。すると、遮蔽ノブ５０の張出部５４の第１の長孔５４ｂを介して、ＬＥＤ基板２０の光源２２から発せられた光が導光体４０のうちの５本の導光棒４２（第１１の導光棒４２ｋ、第１２の導光棒４２ｌ、第１３の導光棒４２ｍ、第１４の導光棒４２ｎ、第１５の導光棒４２ｏ）の基端側から入光していく（図９参照）。
【００３３】
これにより、この５本の導光棒４２（第１１の導光棒４２ｋ、第１２の導光棒４２ｌ、第１３の導光棒４２ｍ、第１４の導光棒４２ｎ、第１５の導光棒４２ｏ）の先端側から光が出光していく。すなわち、この５本の導光棒４２（第１１の導光棒４２ｋ、第１２の導光棒４２ｌ、第１３の導光棒４２ｍ、第１４の導光棒４２ｎ、第１５の導光棒４２ｏ）の先端側が光ることとなる。なお、説明の便宜上、導光体４０のうち、この５本の導光棒４２（第１１の導光棒４２ｋ、第１２の導光棒４２ｌ、第１３の導光棒４２ｍ、第１４の導光棒４２ｎ、第１５の導光棒４２ｏ）を第３のエリアＷ３の導光棒４２と記すこととする。
【００３４】
この図９に示す状態から、さらに、指で遮蔽ノブ５０のツマミ５２を時計回り方向に回転させていく。すると、遮蔽ノブ５０の張出部５４の第１の長孔５４ｂを介して、ＬＥＤ基板２０の光源２２から発せられた光が導光体４０のうちの５本の導光棒４２（第１６の導光棒４２ｐ、第１７の導光棒４２ｑ、第１８の導光棒４２ｒ、第１９の導光棒４２ｓ、第２０の導光棒４２ｔ）の基端側から入光していく（図１０参照）。
【００３５】
これにより、この５本の導光棒４２（第１６の導光棒４２ｐ、第１７の導光棒４２ｑ、第１８の導光棒４２ｒ、第１９の導光棒４２ｓ、第２０の導光棒４２ｔ）の先端側から光が出光していく。すなわち、この５本の導光棒４２（第１６の導光棒４２ｐ、第１７の導光棒４２ｑ、第１８の導光棒４２ｒ、第１９の導光棒４２ｓ、第２０の導光棒４２ｔ）の先端側が光ることとなる。なお、説明の便宜上、導光体４０のうち、この５本の導光棒４２（第１６の導光棒４２ｐ、第１７の導光棒４２ｑ、第１８の導光棒４２ｒ、第１９の導光棒４２ｓ、第２０の導光棒４２ｔ）を第４のエリアＷ４の導光棒４２と記すこととする。
【００３６】
この図１０に示す状態から、さらに、指で遮蔽ノブ５０のツマミ５２を時計回り方向に回転させていく。すると、ＬＥＤ基板２０の光源２２から発せられた光は遮蔽ノブ５０の張出部５４の外周面５４ａによって遮蔽されるため、この光が導光体４０の各導光棒４２の基端側に入光されることがない（図１１参照）。
【００３７】
次に、図１２〜１７を参照して、照明装置１の第２の作用を説明する。この第２の動作の説明にあたっても、ＬＥＤ基板２０の光源２２から発せられた光が遮蔽ノブ５０の張出部５４の外周面５４ａによって遮蔽された状態から説明する（図１２参照）。この状態でも、図１２から明らかなように、ＬＥＤ基板２０の光源２２から発せられた光は遮蔽ノブ５０の張出部５４の外周面５４ａによって遮蔽されているため、この光が導光体４０の各導光棒４２の基端側に入光されることがない。この図１２において、黒塗り箇所がＬＥＤ基板２０から発せられた光を示している。このことは、後述する図１３〜１７においても同様である。
【００３８】
この図１２に示す状態から、例えば、指で遮蔽ノブ５０のツマミ５２を時計回り方向に回転させていく。すると、遮蔽ノブ５０の張出部５４の第２の長孔５４ｃを介して、ＬＥＤ基板２０の光源２２から発せられた光が導光体４０のうちの第１のエリアＷ１の導光棒４２（第１の導光棒４２ａ、第２の導光棒４２ｂ、第３の導光棒４２ｃ、第４の導光棒４２ｄ、第５の導光棒４２ｅ）の基端側から入光していく（図１３参照）。
【００３９】
これにより、この５本の導光棒４２（第１の導光棒４２ａ、第２の導光棒４２ｂ、第３の導光棒４２ｃ、第４の導光棒４２ｄ、第５の導光棒４２ｅ）の先端側から光が出光していく。すなわち、この５本の導光棒４２（第１の導光棒４２ａ、第２の導光棒４２ｂ、第３の導光棒４２ｃ、第４の導光棒４２ｄ、第５の導光棒４２ｅ）の先端側が光ることとなる。
【００４０】
この図１３に示す状態から、さらに、指で遮蔽ノブ５０のツマミ５２を時計回り方向に回転させていく。すると、遮蔽ノブ５０の張出部５４の第２の長孔５４ｃを介して、ＬＥＤ基板２０の光源２２から発せられた光が導光体４０のうちの第１のエリアＷ１と第２のエリアＷ２の導光棒４２（第１の導光棒４２ａ、第２の導光棒４２ｂ、第３の導光棒４２ｃ、・・・第１０の導光棒４２ｊ）の基端側から入光していく（図１４参照）。
【００４１】
これにより、この１０本の導光棒４２（第１の導光棒４２ａ、第２の導光棒４２ｂ、第３の導光棒４２ｃ、・・・第１０の導光棒４２ｊ）の先端側から光が出光していく。すなわち、この１０本の導光棒４２（第１の導光棒４２ａ、第２の導光棒４２ｂ、第３の導光棒４２ｃ、・・・第１０の導光棒４２ｊ）の先端側が光ることとなる。
【００４２】
この図１４に示す状態から、さらに、指で遮蔽ノブ５０のツマミ５２を時計回り方向に回転させていく。すると、遮蔽ノブ５０の張出部５４の第１の長孔５４ｂを介して、ＬＥＤ基板２０の光源２２から発せられた光が導光体４０のうちの第１のエリアＷ１〜第３のエリアＷ３の導光棒４２（第１の導光棒４２ａ、第２の導光棒４２ｂ、第３の導光棒４２ｃ、・・・第１５の導光棒４２ｏ）の基端側から入光していく（図１５参照）。
【００４３】
これにより、この１５本の導光棒４２（第１の導光棒４２ａ、第２の導光棒４２ｂ、第３の導光棒４２ｃ、・・・第１５の導光棒４２ｏ）の先端側から光が出光していく。すなわち、この１５本の導光棒４２（第１の導光棒４２ａ、第２の導光棒４２ｂ、第３の導光棒４２ｃ、・・・第１５の導光棒４２ｏ）の先端側が光ることとなる。
【００４４】
この図１５に示す状態から、さらに、指で遮蔽ノブ５０のツマミ５２を時計回り方向に回転させていく。すると、遮蔽ノブ５０の張出部５４の第１の長孔５４ｂを介して、ＬＥＤ基板２０の光源２２から発せられた光が導光体４０のうちの第１のエリアＷ１〜第４のエリアＷ４の全ての導光棒４２（第１の導光棒４２ａ、第２の導光棒４２ｂ、第３の導光棒４２ｃ、・・・第２０の導光棒４２ｔ）の基端側から入光していく（図１６参照）。
【００４５】
これにより、この全ての導光棒４２（第１の導光棒４２ａ、第２の導光棒４２ｂ、第３の導光棒４２ｃ、・・・第２０の導光棒４２ｔ）の先端側から光が出光していく。すなわち、この全ての導光棒４２（第１の導光棒４２ａ、第２の導光棒４２ｂ、第３の導光棒４２ｃ、・・・第２０の導光棒４２ｔ）の先端側が光ることとなる。
【００４６】
この図１６に示す状態から、さらに、指で遮蔽ノブ５０のツマミ５２を時計回り方向に回転させていく。すると、ＬＥＤ基板２０の光源２２から発せられた光は遮蔽ノブ５０の張出部５４の外周面５４ａによって遮蔽されるため、この光が導光体４０の各導光棒４２の基端側に入光されることがない（図１７参照）。
【００４７】
本発明の実施例に係る照明装置１は、上述したように構成されている。この構成によれば、上述した第１の作用による効果を得ることができる。具体的には、例えば、遮蔽ノブ５０のツマミ５２を時計回り方向に回転させていくと、ＬＥＤ基板２０の光源２２によって、第１のエリアＷ１の導光棒４２の先端側、第２のエリアＷ２の導光棒４２の先端側、第３のエリアＷ３の導光棒４２の先端側、第４のエリアＷ４の導光棒４２の先端側の順に点滅させることができる。したがって、光が流れて見える演出を行うことができる照明装置１において、１個の光源２２で多くの流れ（この例では、４箇所の流れ）を見せることができる。
【００４８】
また、この構成によれば、上述した第２の作用による効果を得ることができる。具体的には、例えば、遮蔽ノブ５０のツマミ５２を時計回り方向に回転させていくと、ＬＥＤ基板２０の光源２２によって、第１のエリアＷ１の導光棒４２の先端側、第２のエリアＷ２の導光棒４２の先端側、第３のエリアＷ３の導光棒４２の先端側、第４のエリアＷ４の導光棒４２の先端側の順に光る箇所を増やしていくことができる。したがって、この第２の作用においても、上述した第１の作用と同様に、光が流れて見える演出を行うことができる照明装置１において、１個の光源２２で多くの流れ（この例では、４箇所の流れ）を見せることができる。
【００４９】
また、この構成によれば、遮蔽ノブ５０の第２の長孔５４ｃは、その長手方向の開口長が導光棒４２の２０本分（全ての導光棒４２）の太さ長に対応するように形成されている。そのため、全ての導光棒４２（第１の導光棒４２ａ、第２の導光棒４２ｂ、第３の導光棒４２ｃ、・・・第２０の導光棒４２ｔ）の先端側を光らせることができる。
【００５０】
上述した内容は、あくまでも本発明の一実施の形態に関するものであって、本発明が上記内容に限定されることを意味するものではない。
【００５１】
実施例では、『導光棒４２』の例として、『ガラスファイバー（光ファイバー）』を説明した。しかし、これに限定されるものでなく、『透明な樹脂製の棒部材』でも構わない。また、実施例では、第１の長孔５４ｂが５本の導光棒４２に対応し、第２の長孔５４ｃが２０本の導光棒４２に対応する形態を説明した。しかし、これに限定されるものでなく、これら長孔５４ｂ、５４ｃが対応する導光棒４２の本数は適宜に決定される設計的な事項である。
【００５２】
また、実施例では、導光棒４２が２０本である形態を説明した。しかし、これに限定されるものでなく、導光棒４２の本数は複数本であれば、何本であっても構わない。また、実施例では、１個の光源２２で４箇所の流れを見せることができる形態を説明した。しかし、これに限定されるものでなく、光の流れは、複数個所であれば、何箇所であっても構わない。もちろん、光源２２も１個に限定されることなく、複数並べてでもよい。その場合、光の明るさを高めることができる。
【００５３】
また、実施例では、導光体４０の各導光棒４２の先端側を直線状に配置する形態を説明した。しかし、これに限定されるものでなく、ベース１０の第１のガイド１２の円弧に沿って周方向に配置する形態でも構わない。その場合、遮蔽ノブ５０のツマミ５２の回転位置に対応させて各導光棒４２の先端側を光らせることができる。例えば、回転によって音量を調整するためのツマミ等に適用させることができる。
【００５４】
また、実施例では、遮蔽ノブ５０のツマミ５２を指で回転させる形態を説明した。しかし、これに限定されるものでなく、各種の駆動装置（モータ、シリンダ等）によって回転させる形態でも構わない。その場合、各種の電気信号に基づいて遮蔽ノブ５０を回転させることができる。したがって、光の演出を行うことができる。
【００５５】
また、実施例では、遮蔽ノブ５０は、ベース１０に対して回転可能に組み付けられる形態を説明した、しかし、これに限定されるものでなく、遮蔽ノブ５０は、ベース１０に対してスライド可能に組み付けられる形態でも構わない。例えば、スライドによって風量を調整するためのベゼル等に適用させることができる。
【００５６】
また、実施例で説明したベース１０、蓋カバー６０、発光部カバー７０を自動車のインストルメントパネルの加飾パネルに適用しても構わない。
【符号の説明】
【００５７】
１      照明装置
１０    ベース
２０    ＬＥＤ基板
２２    光源
４０    導光体
４２    導光棒
５０    遮蔽ノブ
【図１】
2016112964.tif 000003
【図２】
2016112964.tif 000004
【図３】
2016112964.tif 000005
【図４】
2016112964.tif 000006
【図５】
2016112964.tif 000007
【図６】
2016112964.tif 000008
【図７】
2016112964.tif 000009
【図８】
2016112964.tif 000010
【図９】
2016112964.tif 000011
【図１０】
2016112964.tif 000012
【図１１】
2016112964.tif 000013
【図１２】
2016112964.tif 000014
【図１３】
2016112964.tif 000015
【図１４】
2016112964.tif 000016
【図１５】
2016112964.tif 000017
【図１６】
2016112964.tif 000018
【図１７】
2016112964.tif 000019